(57)【要約】      （修正有）【課題】片手で簡単に安定して横持ちしやすくして、塗布剤を身体の所望位置に簡単かつ正確に塗りやすくする塗布用容器を提供する。【解決手段】胴体２は、片手の手指で把持される把持部２３を有している。この把持部２３の高さ寸法１００は、前記片手の小指を除く四指が巻き掛けられるように把持可能な寸法に設定されている。把持部２３の上端側には、前記片手の人差し指または中指の内側部分と親指の内側部分とが巻き掛けられて嵌まる係合部２３ａが胴体２の全周に亘って設けられている。【選択図】図２
2020078482.tif 000002
【特許請求の範囲】
【請求項１】
塗布剤が収容される胴体の上端が開口されており、この開口部分にアプリケーター部材が取り付けられ、前記アプリケーター部材から前記胴体内の塗布剤が出される塗布用容器であって、
前記胴体は、片手の手指で把持される把持部を有し、
この把持部の高さ寸法は、前記片手の小指を除く四指が巻き掛けられるように把持可能な寸法に設定されており、
前記把持部の上端側には、前記片手の人差し指または中指の内側部分と親指の内側部分とが巻き掛けられて嵌まる係合部が前記胴体の全周に亘って設けられている、ことを特徴とする塗布用容器。
【請求項２】
請求項１に記載の塗布用容器において、
前記把持部の高さ寸法が、３５〜８０ｍｍに設定され、
前記係合部の上下方向に沿う長さ寸法が、１０〜２５ｍｍに設定され、
前記胴体の最大外径寸法が、４０〜５５ｍｍに設定される、ことを特徴とする塗布用容器。
【請求項３】
請求項１または２に記載の塗布用容器において、
前記把持部において前記係合部の直下には、外径寸法が一定の平滑部が設けられており、
前記把持部において前記平滑部の直下には、前記胴体の底面へ向けて徐々に縮径する下向き縮径部が設けられている、ことを特徴とする塗布用容器。
【請求項４】
請求項１から３のいずれか１項に記載の塗布用容器は、腋用のデオドラント剤を塗布する用途に用いられる、ことを特徴とする塗布用容器。
【発明の詳細な説明】
【技術分野】
【０００１】
本発明は、身体等に塗布剤を塗布することができる塗布用容器に関する。
【背景技術】
【０００２】
従来、化粧剤や薬剤などの塗布剤を容器内部に充填し、使用時には容器上部などに用いられたアプリケーター部材より塗布剤が出て、身体等に塗布剤を塗布することができる塗布用容器が知られている。これらの塗布用容器としては、塗布剤の種類や使用部位、使用方法などに応じて、様々な形態のものが知られている。
【０００３】
例えば特許文献１の図２４に示す塗布器具は、受け器の頂端部に支持体構成部分を設け、この支持体構成部分にアプリケーター部材を取り付けた構成になっている。
【０００４】
前記受け器は、樽形状になっており、その中心軸線を上下方向に沿わせるように立てた姿勢とされている。この受け器の上端には、上向きに立ち上がる円筒部が設けられており、この円筒部の上部の段壁面が、アプリケーター部材から出て垂れ落ちる塗布剤を受け止めるための液だれ受け面になっている。
【０００５】
また、特許文献２に示す塗布用容器は、その下方から鷲掴みしやすい形状に形成されている。この鷲掴みとは、片手の掌における丘部分（各指の付け根部分）で胴体の底面を支えるとともに、前記片手の各指先を引っ掛け部に引っ掛けて、前記胴体を各指の付け根側へ引き寄せるような形態のことを言う。
【先行技術文献】
【特許文献】
【０００６】
【特許文献１】特許第４４３０８７０号公報
【特許文献２】特開２０１８−１５１９９号公報
【発明の概要】
【発明が解決しようとする課題】
【０００７】
上記特許文献１には、使用時に前記受け器が不安定に揺れ動いて塗布剤を必要部位に塗りにくくなることを防止するために、前記受け器を安定した状態で持ちやすくするという技術思想ならびにそれを実現するための構成についての記載ならびに示唆は一切ない。
【０００８】
上記特許文献２に示す塗布用容器は、下方から鷲掴みしやすい形状であるものの、例えば横持ちしやすくするには改良の余地がある。
【０００９】
このような事情に鑑み、本発明は、塗布用容器を片手で簡単に安定して横持ちしやすくして、当該塗布用容器内の塗布剤を身体の所望位置に簡単かつ正確に塗りやすくすることを目的としている。
【課題を解決するための手段】
【００１０】
本発明は、塗布剤が収容される胴体の上端が開口されており、この開口部分にアプリケーター部材が取り付けられ、前記アプリケーター部材から前記胴体内の塗布剤が出される塗布用容器であって、前記胴体は、片手の手指で把持される把持部を有し、この把持部の高さ寸法は、前記片手の小指を除く四指が巻き掛けられるように把持可能な寸法に設定されており、前記把持部の上端側には、前記片手の人差し指または中指の内側部分と親指の内側部分とが巻き掛けられて嵌まる係合部が前記胴体の全周に亘って設けられている、ことを特徴としている。
【００１１】
この構成の塗布用容器は、前記片手の掌を前記胴体の把持部の外周面に横から押し当てるようにしながら、当該片手の人差し指（または中指）と親指とを上から見てＣ字形にして前記係合部に巻き掛けるようにすると、当該人差し指（または中指）の内側部分と親指の内側部分とが前記係合部に自然に嵌まる状態になるので、前記塗布用容器を片手で簡単に安定して横から把持しやすくなる。なお、このような把持形態を、単に横持ちと言うことにする。
【００１２】
これにより、前記塗布用容器内の塗布剤を身体の所望位置に比較的簡単かつ正確に塗ることが可能になる。
【００１３】
ところで、上記塗布用容器において、前記把持部の高さ寸法が、３５〜８０ｍｍに設定され、前記係合部の上下方向に沿う長さ寸法が、１０〜２５ｍｍに設定され、前記胴体の最大外径寸法が、４０〜５５ｍｍに設定される、構成とすることができる。
【００１４】
この構成によれば、前記塗布用容器を片手で横持ちする際に、人差し指（または中指）の内側部分と親指の内側部分とが前記係合部に自然かつ確実に嵌まるようになる。
【００１５】
また、上記塗布用容器において、前記把持部において前記係合部の直下には、外径寸法が一定の平滑部が設けられており、前記把持部において前記平滑部の直下には、前記胴体の底面へ向けて徐々に縮径する下向き縮径部が設けられている、構成とすることができる。
【００１６】
この構成では、片手の掌を前記胴体の把持部の外周面に横から押し当てるようにしながら、当該片手の人差し指と親指とを上から見てＣ字形にして前記係合部に巻き掛けて当該人差し指の内側部分と親指の内側部分と嵌めるようにし、さらに前記平滑部に前記片手の中指を巻き掛けるとともに、前記下向き縮径部に前記片手の薬指を巻き掛けて、小指を前記底面に当接させるような状態にすることができる。
【００１７】
このように前記塗布用容器を片手で横持ちする際に、前記平滑部に前記片手の中指を程良く巻き掛けやすくなるとともに、前記下向き縮径部に前記片手の薬指を程良く巻き掛けやすくなるので、塗布用容器を片手で簡単に安定して横持ちしやすくなるのである。
【００１８】
そして、上記塗布用容器は、腋用のデオドラント剤を塗布する用途に用いられる、ものとすることが好ましい。
【発明の効果】
【００１９】
本発明に係る塗布用容器によれば、片手で簡単に安定して横持ちしやすくなって、当該塗布用容器内の塗布剤を身体の所望位置に簡単かつ正確に塗りやすくできるなど、使い勝手を高めることができる。
【図面の簡単な説明】
【００２０】
【図１】本発明に係る塗布用容器の一実施形態で、キャップを胴体から外した状態を示す斜視図である。
【図２】図１においてさらに胴体からアプリケーター部材を外した状態を示す側面図である。
【図３】図１の塗布用容器を片手で横持ちした状態を示す斜視図である。
【図４】図３に示すように塗布用容器を横持ちした状態で塗布剤を腋に塗るときの様子を示す斜視図である。
【図５】本発明に係る塗布用容器の他実施形態で、キャップを胴体から外した状態を示す斜視図である。
【図６】図５においてさらに胴体からアプリケーター部材を外した状態を示す側面図である。
【図７】図１に示す塗布用容器を下方から鷲掴みする様子を示す斜視図である。
【図８】図７の状態を反対側から見た斜視図である。
【発明を実施するための形態】
【００２１】
以下、本発明を実施するための実施形態について添付図面を参照して詳細に説明する。
【００２２】
図１から図４に、本発明の一実施形態を示している。図中、１は塗布用容器の全体を示している。
【００２３】
塗布用容器１は、図２に示すように、胴体２と、アプリケーター部材３と、キャップ４とを備えている。
【００２４】
胴体２は、内部に例えば液状のデオドラント組成物、化粧剤、薬剤などの塗布剤が封入されるものであって、上側が開口した有底円筒形に形成されている。
【００２５】
アプリケーター部材３は、胴体２内の塗布剤を取り出して塗布相手に転移させるものであって、ボール３１をホルダ３２に自転可能に取り付けた構成になっている。
【００２６】
ホルダ３２は、略円筒形に形成されており、その上側開口にはボール３１が略半分露呈するように回転自在になるように取り付けられている。このホルダ３２の中心軸線方向（上下方向）の途中には、最大外径部３２ａが設けられており、また、ホルダ３２の中心軸線方向の下側には円筒部３２ｂが設けられている。この円筒部３２ｂを下側円筒部と言うことにする。アプリケーター部材３のホルダ３２の下側円筒部３２ｂの内周面には、下記凸条部２１ａにスナップフィット状態に嵌合する凹条部（図示省略）が設けられている。
【００２７】
キャップ４は、アプリケーター部材３を不使用時に隠蔽して使用時に露呈するものであって、胴体２に着脱可能とされる。このキャップ４は、下側開口から上側の所定位置まで円筒形に形成されていて、前記所定位置から上端に向けて徐々に縮径するような形状に形成されている。
【００２８】
この実施形態の塗布用容器１は、片手で横から把持しやすくするように工夫しているので、以下で詳細に説明する。
【００２９】
まず、胴体２の外形を詳細に説明する。胴体２は、上から下へ向けて順に、上端部２１、雄ねじ部２２、把持部２３を有している。
【００３０】
上端部２１には、アプリケーター部材３のホルダ３２が外嵌装着されるようになっている。この上端部２１の外周面には、図２に示すように、周方向に連続する一つの凸条部２１ａが設けられている。
【００３１】
この上端部２１にアプリケーター部材３のホルダ３２の下側円筒部３２ｂを外嵌装着すると、凸条部２１ａが下側円筒部３２ｂの内周面に形成されている凹条部（図示省略）にスナップフィット状態で嵌合することにより、胴体２にホルダ３２が取り付けられる。なお、胴体２からホルダ３２を取り外すときは、ホルダ３２を上向きに引っ張れば前記凹条部が凸条部２１ａから弾性変形して抜け出すので、ホルダ３２を胴体２から外すことができる。
【００３２】
雄ねじ部２２は、外径寸法が胴体２の中心軸線に沿って一定とされており、その外周面にねじ山２２ａが設けられている。この雄ねじ部２２のねじ山２２ａには、キャップ４の下側開口の内周面に形成されているねじ溝（図示省略）が螺合装着されるようになっている。
【００３３】
把持部２３は、片手の小指を除く四指が巻き掛けられる部分であって、上から下へ向けて順に、係合部２３ａａ、平滑部２３ｂ、下向き縮径部２３ｃを有している。
【００３４】
係合部２３ａは、胴体２の全周に亘って連続する環状溝とされており、その凹み形状が側面から見てＵ字形に湾曲したような形状とされている。
【００３５】
詳しくは、係合部２３ａの最深位置はその上下方向の中心位置よりも雄ねじ部２２寄りに配置されている。この係合部２３ａにおいて前記最深位置から平滑部２３ｂまでの領域を「下湾曲斜面」と言い、また、係合部２３ａにおいて前記最深位置から雄ねじ部２２までの領域を「上湾曲斜面」と言うことにする。
【００３６】
そして、前記下湾曲斜面および前記上湾曲斜面は、共に、外径側から前記最深位置に向かうにつれて下り勾配が緩やかになっている。前記下り勾配とは、胴体２の中心軸線に対する前記下湾曲斜面および上湾曲斜面の傾きである。
【００３７】
言い換えると、前記下湾曲斜面は、平滑部２３ｂ寄りほど急な下り勾配になっているので、係合部２３ａに巻き掛けられて嵌められる人差し指が平滑部２３ｂの上端縁に引っ掛かりやすくなる。一方、前記上湾曲斜面は、雄ねじ部２２寄りほど急な下り勾配になっているので、係合部２３ａに巻き掛けられて嵌められる人差し指が雄ねじ部２２の下端縁に引っ掛かりやすくなる。
【００３８】
平滑部２３ｂは、外径寸法が胴体２の中心軸線に沿って一定とされている。平滑部２３ｂ、雄ねじ部２２、上端部２１は、側面視で円柱形に形成されており、それらの各外径寸法が前記記載順に大、中、小とされている。
【００３９】
下向き縮径部２３ｃは、平滑部２３ｂの下端から胴体２の底面に向けて徐々に縮径するようなテーパ面とされている。
【００４０】
そして、平滑部２３ｂと下向き縮径部２３ｃとの連接部分は、角張った形状とされている。
【００４１】
なお、アプリケーター部材３のボール３１から塗布剤がホルダ３２の外周に垂れ落ちた場合、ホルダ３２の最大外径部３２ａの上側段壁面３２ｃが前記塗布剤を受け止めることになる。このようにホルダ３２の上側段壁面３２ｃが液だれ受け面として機能する。
【００４２】
このような形状の胴体２を横持ちするときの様子について、図３を参照して説明する。片手の掌を胴体２の把持部２３の外周面に横から押し当てるようにしながら、当該片手の人差し指と親指とを上から見てＣ字形にして係合部２３ａに巻き掛けるようにし、さらに平滑部２３ｂに前記片手の中指を巻き掛けるとともに、下向き縮径部２３ｃに前記片手の薬指を巻き掛けて、小指を胴体２の底面に当接させる。
【００４３】
このような横持ちをする際に、人差し指の内側部分と親指の内側部分とが胴体２の係合部２３ａに自然かつ確実に巻き掛けられて嵌まるようにするとともに、この状態を維持しやすくすることを目的として、把持部２３の高さ寸法１００と、係合部２３ａの上下方向に沿う長さ寸法１０１と、平滑部２３ｂの上下方向に沿う長さ寸法１０２と、下向き縮径部２３ｃの上下方向に沿う長さ寸法１０３と、胴体２の最大外径寸法２００と、係合部２３ａの最深位置での深さ寸法（引っ掛かり代とも言う）３００と、を以下のように設定している。
【００４４】
（１）把持部２３の高さ寸法１００は、図２に示すように、係合部２３ａの上下方向に沿う長さ寸法１０１と、平滑部２３ｂの上下方向に沿う長さ寸法１０２と、下向き縮径部２３ｃの上下方向に沿う長さ寸法１０３と、を足した寸法であって、前記片手の小指を除く四指が巻き掛けられるように把持可能となるように設定される。
【００４５】
まず、係合部２３ａの上下方向に沿う長さ寸法１０１は、好ましくは「１０〜２５ｍｍ」、より好ましくは「１２〜２３ｍｍ」、さらに好ましくは「１４〜２０ｍｍ」、最も好ましくは「１６〜１８ｍｍ」に設定することができる。この長さ寸法１０１は、胴体２を横持ちする際に片手の人差し指（または中指）と親指とを上から見てＣ字形にして係合部２３ａに巻き掛ける際に人差し指（または中指）の内側部分と親指の内側部分とを係合部２３ａに嵌めやすくするために、人差し指（または中指）よりも太い親指の横幅（所定数の大人の平均値±α）に基づいて特定している。
【００４６】
また、平滑部２３ｂの上下方向に沿う長さ寸法１０２は、好ましくは「１０〜３０ｍｍ」、より好ましくは「１２〜２６ｍｍ」、さらに好ましくは「１６〜２３ｍｍ」、最も好ましくは「１９〜２２ｍｍ」に設定することができる。この長さ寸法１０２は、胴体２を横持ちする際に中指を平滑部２３ｂの外周面に沿わせやすくするために、中指の横幅（所定数の大人の平均値±α）に基づいて特定している。
【００４７】
さらに、下向き縮径部２３ｃの上下方向に沿う長さ寸法１０３は、好ましくは「５〜２５ｍｍ」、より好ましくは「１０〜２０ｍｍ」、さらに好ましくは「１２〜１８ｍｍ」、最も好ましくは「１４〜１６ｍｍ」に設定することができる。この長さ寸法１０３は、胴体２を横持ちする際に薬指を下向き縮径部２３ｃの外周面に沿わせやすくするために、薬指の横幅（所定数の大人の平均値±α）に基づいて特定している。
【００４８】
このような三つの長さ寸法１０１，１０２，１０３に基づいて、把持部２３の高さ寸法１００は、好ましくは「３５〜８０ｍｍ」、より好ましくは「４０〜６９ｍｍ」、さらに好ましくは「４５〜６１ｍｍ」、最も好ましくは「４９〜５５ｍｍ」に設定することができる。
【００４９】
（２）胴体２の最大外径寸法２００は、好ましくは「４０〜５５ｍｍ」、より好ましくは「４２〜５２ｍｍ」、さらに好ましくは「４４〜５０ｍｍ」に設定することができる。
【００５０】
この数値は、下記実験に基づいて特定している。実験では、各試料の底面からボール３１の頂点までの全高寸法を９９ｍｍとし、前記把持部２３の高さ寸法１００を「５０ｍｍ」にし、前記最大外径寸法２００を「３３ｍｍ」、「３６ｍｍ」、「３８ｍｍ」、「４０ｍｍ」、「４４ｍｍ」、「５０ｍｍ」、「５３ｍｍ」、「５５ｍｍ」、「６０ｍｍ」にした９タイプの試料を用意した。このような試料の胴体２を横持ちする際に把持部２３に対する片手の四指の巻き掛けやすさを１０名の被験者が５段階の評価スコアで評価し、その平均値を算出した。評価スコアについて、「１」は「巻き掛けやすい」、「２」は「やや巻き掛けやすい」、「３」は「どちらともいえない」、「４」は「やや巻き掛けにくい」、「５」は「巻き掛けにくい」である。
【００５１】
ここで、最大外径寸法Ｒ毎の評価スコアの平均値の結果としては、「３３ｍｍ」のとき「３．３」で標準偏差は「１．００」、「３６ｍｍ」のとき「３．４」で標準偏差は「０．６６」、「３８ｍｍ」のとき「３．１」で標準偏差は「１．１４」、「４０ｍｍ」のとき「２．４」で標準偏差は「０．８０」、「４４ｍｍ」のとき「１．５」で標準偏差は「０．５０」、「５０ｍｍ」のとき「２．６」で標準偏差は「０．８０」、「５３ｍｍ」のとき「２．８」で標準偏差は「０．８７」、「５５ｍｍ」のとき「３．２」で標準偏差は「１．０８」、「６０ｍｍ」のとき「４．３」で標準偏差は「０．７８」であった。
【００５２】
この結果から、評価スコアの「３」を目安としたうえで、最大外径寸法Ｒが「４０ｍｍ」のときの評価スコアの平均値「２．４」と、最大外径寸法Ｒが「３８ｍｍ」のときの評価スコアの平均値「３．１」とが乖離しているので、ここを境界点と判断した。
【００５３】
また、同様に、評価スコアの「３」を目安としたうえで、最大外径寸法Ｒが「５５ｍｍ」のときの評価スコアの平均値「３．２」と、最大外径寸法Ｒが「６０ｍｍ」のときの評価スコアの平均値「４．３」とが乖離しているので、ここを境界点と判断した。
【００５４】
これら結果に基づき、最大外径寸法Ｒを上述しているように好ましい範囲として「４０〜５５ｍｍ」に設定し、より好ましい範囲として「４２〜５２ｍｍ」、さらに好ましい範囲として「４４〜５０ｍｍ」に設定した。
【００５５】
（３）係合部２３ａの最深位置での深さ寸法３００（引っ掛かり代とも言う）は、好ましくは「２．０〜８．０ｍｍ」、より好ましくは「３．０〜７．０ｍｍ」、さらに好ましくは「４．０〜６．０ｍｍ」に設定することができる。
【００５６】
この深さ寸法３００は、胴体２を横持ちする際に片手の人差し指（または中指）と親指とを上から見てＣ字形にして係合部２３ａに巻き掛けた状態において、前記人差し指（または中指）の内側部分と前記親指の内側部分とが胴体２の係合部２３ａに嵌まった状態を維持しやすくするために、下記評価に基づいて特定している。この評価は、適宜の人数の被験者により前記好ましい範囲内の試料と、当該範囲外の試料とを実際に把持し比べることにより引っ掛かり具合を調べることにより行っている。
【００５７】
この他、胴体２の上端部２１および雄ねじ部２２の上下方向に沿う寸法は、特に限定されないが、好ましくは「１０〜２０ｍｍ」、より好ましくは「１４〜１８ｍｍ」に設定することができる。また、胴体２の底面から上端部２１までの高さ寸法は、好ましくは「４５〜１００ｍｍ」、より好ましくは「５４〜８７ｍｍ」、さらに好ましくは「５９〜７９ｍｍ」に設定することができる。
【００５８】
以上説明したような実施形態の塗布用容器１であれは、図３に示すように、片手の掌を胴体２の把持部２３の外周面に横から押し当てるようにしながら、当該片手の人差し指と親指とを上から見てＣ字形にして係合部２３ａに巻き掛けて当該人差し指の内側部分と親指の内側部分と嵌めるようにし、さらに平滑部２３ｂに前記片手の中指を巻き掛けるとともに、下向き縮径部２３ｃに前記片手の薬指を巻き掛けて、小指を胴体２の底面に当接させるような状態にすることができる。
【００５９】
このように胴体２を片手で横持ちする際は、当該片手の人差し指の内側部分と親指の内側部分とが係合部２３ａに自然かつ確実に嵌まるようになる他、平滑部２３ｂに前記片手の中指を程良く巻き掛けやすくなるとともに、下向き縮径部２３ｃに前記片手の薬指を程良く巻き掛けやすくなるので、塗布用容器１を片手で簡単に安定して横持ちしやすくなるのである。
【００６０】
これにより、例えば図４に示すように、身体の腋に塗布剤を塗るような場合に、塗布用容器１を揺れ動かないようにしっかり安定した状態で把持したまま、腕を自然な姿勢で折り曲げて、アプリケーター部材３のボール３１を前記腋に正確に押し付けることが可能になる。このように、身体の姿勢に無理をせずに簡単かつ正確に塗布剤を身体の所望位置（湾曲等）に塗ることが可能になる。
【００６１】
また、上記構成の塗布用容器１であれは、塗布用容器１を下方から鷲掴みすることも可能である。この鷲掴みとは、例えば図７および図８に示すように、片手の掌における丘部分（主に土星丘、木星丘、太陽丘で、各指の付け根部分とも言う）で胴体２の底面を支えるとともに、前記片手の各指で把持部２３を包むようにしながら当該各指の先を係合部２３ａに引っ掛けて、胴体２を各指の付け根側へ引き寄せるような形態のことを言い、下持ちとも言う。
【００６２】
なお、本発明は、上記実施形態のみに限定されるものではなく、特許請求の範囲内および当該範囲と均等の範囲内で適宜に変更することが可能である。
【００６３】
（１）上記実施形態では胴体２の平滑部２３ｂから下向き縮径部２３ｃへの連接部分を角張った形状にした例を挙げているが、本発明はこれのみに限定されるものではない。
【００６４】
例えば図５および図６に本発明の他の実施形態を示している。この実施形態では、胴体２において平滑部２３ｂから下向き縮径部２３ｃへの連接部分を湾曲した形状にしている。このような形状であっても、横持ちのしやすさは上記実施形態の塗布用容器１と同様になる。
【００６５】
（２）上記実施形態では、胴体２の下向き縮径部２３ｃをテーパ面にした例を挙げているが、本発明はこれのみに限定されるものではなく、例えば下向き縮径部２３ｃは胴体２の底面に向けて徐々に縮径するような曲面形状としてもよい。
【００６６】
（３）上記実施形態では、アプリケーター部材３にボール３１を用いた例を挙げているが、本発明はこれのみに限定されるものではない。
【００６７】
例えばアプリケーター部材３は、ボール３１の代わりに、発泡部材（ラバーまたはポリウレタンなど）を用いる構成としたり、スティック状の塗布剤を用いて胴体２に直接的に収納する構成としたりすることが可能である。即ち、本発明の塗布用容器１としては、例えば、ロールオン容器、スティック容器（繰り出し容器）、発泡ラバーを有する塗布用容器などが挙げられ、好ましくはロールオン容器である。
【００６８】
本発明の塗布用容器１の用途としては、特に限定されないが、例えば、デオドラント剤を塗布するデオドラント製品、香水やオーデコロンなどを塗布するフレグランス化粧品、化粧水などを塗布するスキンケア化粧品、整髪剤や染毛剤などを塗布する頭髪用化粧品、日焼け止め製品、防虫剤、虫刺され薬、鎮痛剤、消炎剤などの医薬品などが挙げられる。中でも、本発明の塗布用容器１を横持ちの持ち方で安定した状態で持ちやすく、正確に塗布しやすいという観点から、デオドラント製品が好ましく、特に腋用のデオドラント剤を塗布する腋用デオドラント製品が好ましい。
【産業上の利用可能性】
【００６９】
本発明は、塗布剤が収容される胴体の上端が開口されており、この開口部分にアプリケーター部材が取り付けられ、このアプリケーター部材から前記胴体内の塗布剤が出される塗布用容器に好適に利用することが可能である。例えば、デオドラント製品用のロールオン容器として好適に利用することが可能である。
【符号の説明】
【００７０】
１  塗布用容器
２  胴体
２１  上端部
２１ａ  凸条部
２２  雄ねじ部
２２ａ  ねじ山
２３  把持部
２３ａ  係合部
２３ｂ  平滑部
２３ｃ  下向き縮径部
３  アプリケーター部材
３１  ボール
３２  ホルダ
３２ａ  最大外径部
３２ｂ  下側円筒部
３２ｃ  上側段壁面
４  キャップ
１００  把持部の高さ寸法
１０１  係合部の長さ寸法
１０２  平滑部の長さ寸法
１０３  下向き縮径部の長さ寸法
２００  胴体の最大外径寸法
３００  係合部の深さ寸法
【図１】
2020078482.tif 000003
【図２】
2020078482.tif 000004
【図３】
2020078482.tif 000005
【図４】
2020078482.tif 000006
【図５】
2020078482.tif 000007
【図６】
2020078482.tif 000008
【図７】
2020078482.tif 000009
【図８】
2020078482.tif 000010